(57)【要約】【課題】  中央監視制御装置を操作して、入出力端末装置を試験モードにするだけで、中央監視制御装置に対する対向試験を実施して、対向試験に要する時間、手間を短縮し、システムの構築コストを低減する。【解決手段】  中央監視室などに居るオペレータなどによって、中央監視制御装置５の“試験開始ボタン”が押されたとき、入出力端末装置８を運用モードから試験モードに切り替え、試験用プログラム１１で指定された手順で、中央監視制御装置５に対し、試験信号の入出力処理を行わせ、入出力端末装置８と、中央監視制御装置５との接続内容、動作内容などをオペレータに確認する。【選択図】      図１
2006099201.tif 000002
【特許請求の範囲】
【請求項１】
通信回線を介して中央監視制御装置に接続されて現場設備を監視制御する入出力端末装置であって、
試験モードが設定されているとき、予め設定されている手順で、前記中央監視制御装置に対し、試験信号の入出力処理を実行する試験手段と、運用モードが設定されているとき、前記中央監視制御装置からの指示に基づき、前記現場設備の監視制御を行う監視制御手段と、
を備えたことを特徴とする入出力端末装置。
【請求項２】
請求項１に記載の入出力端末装置において、
前記試験手段は、試験モードが設定されているとき、メモリ上に入出力領域を仮想的に作成し、前記入出力領域の入力値、または出力値を変化させて、前記中央監視制御装置の対向試験を実行する、
ことを特徴とする入出力端末装置。
【発明の詳細な説明】
【技術分野】
【０００１】
本発明は、中央監視制御装置によって現場設備を監視制御する監視制御システムなどに利用される入出力端末装置に係わり、特に中央監視制御装置と現場設備とを接続する前の対向試験を容易に実行する入出力端末装置に関する。
【背景技術】
【０００２】
中央監視制御装置によって現場設備を監視制御する監視制御システムでは、中央監視制御装置と、現場設備とを通信回線などで接続する前に、調整員が現場設備側に配置された入出力端末装置を操作して、図８に示すように、デジタルインプット、デジタルアウトプット、アナログインプット、アナログアウトプット、パルスインプット毎に、中央監視制御装置の対向試験（通信回線によって、現場設備を接続する前に実施する中央監視制御装置自体の単体試験）を実施している。
【特許文献１】特開平１１−２６５３０２号公報
【発明の開示】
【発明が解決しようとする課題】
【０００３】
ところで、このような従来の対向試験では、全ての管理点に対し、１点毎に、試験を行わなければならないことから、時間が掛かり過ぎてしまう。また、入出力端末装置の操作ミスなどが発生すると、何回も試験をやり直さなければなければならないという不具合があった。
【０００４】
本発明は上記の事情に鑑み、試験モードにするだけで、中央監視制御装置に対する対向試験を実施することができ、対向試験に要する時間、手間を短縮して、システムの構築コストを低減することができる入出力端末装置を提供することを目的としている。
【課題を解決するための手段】
【０００５】
上記の目的を達成するために本発明は、通信回線を介して中央監視制御装置に接続されて現場設備を監視制御する入出力端末装置であって、試験モードが設定されているとき、予め設定されている手順で、前記中央監視制御装置に対し、試験信号の入出力処理を実行する試験手段と、運用モードが設定されているとき、前記中央監視制御装置からの指示に基づき、前記現場設備の監視制御を行う監視制御手段とを備えたことを特徴としている。
【発明の効果】
【０００６】
本発明による、試験モードにするだけで、中央監視制御装置に対する対向試験を実施することができ、対向試験に要する時間、手間を短縮して、システムの構築コストを低減することができる。
【発明を実施するための最良の形態】
【０００７】
図１は本発明による入出力端末装置の実施形態である監視制御システムの構成を示すブロック図である。
【０００８】
この図に示す監視制御システム１は、中央監視室などに配置されたイーサネット（登録商標）ケーブルなどによって構成されるＬＡＮ（Local Area Network）２と、中央監視室などに配置され、電話回線、データ回線、インターネット回線など、中央監視室の外に敷設された通信回線３を介して、現場設備側から出力されたパケットを取り込んで、ＬＡＮ２上に送出する処理、ＬＡＮ２上を流れているパケットを取り込んで、通信回線３上に送出し、現場設備側に供給する処理などを行うゲートウェイ装置４と、中央監視室などに配置され、ＬＡＮ２、ゲートウェイ装置４などを介して、監視制御対象となっている現場設備を集中監視、集中制御する中央監視制御装置５と、中央監視室などに配置され、中央監視制御装置５から出力される表示データを取り込み、監視制御画面、試験画面などを表示するＣＲＴ装置６と、中央監視室などに配置され、中央監視制御装置５からプリントデータを含むパケットが出力されたとき、ＬＡＮ２を介して、これを取り込んで、プリントデータ内容をプリントアウトするプリンタ装置７と、現場設備側に配置され、試験モードが設定されているとき、通信回線３を介して、中央監視制御装置５と試験信号などを含むパケットの入出力処理（対向試験）を行い、運転モードが設定されているとき、通信回線３を介して、制御データ、制御信号などを含むパケットを取り込んで、制御対象となっている現場設備を制御する処理、現場設備からデータ、信号を収集して、監視データ、監視信号を含むパケットを生成し、これを通信回線３上に送出する処理などを行う入出力端末装置８とを備えている。
【０００９】
入出力端末装置８は、図２に示すように、通信処理、信号処理、データ処理などを行うマイクロプロセッサ９、マイクロプロセッサ９に運転モード時の動作、試験モード時の動作などを行わせる実稼働プログラム１０、試験用プログラム１１などが格納されるＥＥＰＲＯＭ１２、マイクロプロセッサ９の作業エリアなどとして使用されるＲＡＭ１３などが搭載されたＣＰＵ基板１４を備えている。また、デジタル形式の現場設備に接続され、現場設備から検出データを取り込んで、監視データを生成し、ＣＰＵ基板１４に供給するデジタル入力基板１５と、デジタル形式の現場設備に接続され、ＣＰＵ基板１４からの指示基づき、現場設備に制御データを供給するデジタル出力基板１６と、アナログ形式の現場設備に接続され、現場設備から検出信号を取り込んで、監視データを生成し、ＣＰＵ基板１４に供給するアナログ入力基板１７と、アナログ形式の現場設備に接続され、ＣＰＵ基板１４からの指示基づき、現場設備に制御信号を供給するアナログ出力基板１８と、現場設備側のパルス発生器に接続され、パルス発生器から出力されるパルス信号を取り込んで、ＣＰＵ基板１４に供給するパルス入力基板１９とを備えている。さらに、図５に示すように、これらＣＰＵ基板１４〜パルス入力基板１９間のデータ授受、信号授受をサポートする通信バス２０と、通信バス２０と通信回線３とを接続する通信基板２１とを備えている。
【００１０】
そして、中央監視制御装置８のキーボード、マウスなどが操作されて、“運用ボタン”が押されたとき、中央監視制御装置８によって、指示された運用内容を含む制御パケットが生成されて、中央監視制御装置８→ＬＡＮ２→ゲートウェイ装置４→通信回線３→入出力端末装置８の通信基板２１→入出力端末装置８のＣＰＵ基板１４のなる経路で、ＣＰＵ基板１４に供給されるとともに、ＣＰＵ基板１４からの指示に基づき、デジタル出力基板１６、アナログ出力基板１８から各現場設備に制御データ、制御信号が供給され、これらの各現場設備の運転内容が制御される。
【００１１】
また、この動作と並行し、ＣＰＵ基板１４によって、デジタル入力基板１５、アナログ入力基板１７、パルス入力基板１９が制御されて、各現場設備側から出力される検出データ、各種検出信号、パルス信号などが収集され、これら検出データ〜パルス信号に応じた監視データが生成されるとともに、ＣＰＵ基板１４によって、これらの各監視データがパケット化されて、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給され、ＣＲＴ装置６に表示されている監視制御画面上に各現場設備の運転内容が表示される。
【００１２】
また、中央監視制御装置５にインストールされている監視制御プログラムの更新などに伴い、中央監視制御装置５の動作確認が必要になったとき、中央監視制御装置５による現場設備の監視制御を開始する前、次に述べる手順で、中央監視制御装置５の対向試験が行われる。
【００１３】
＜信号名称と、機器シンボルとの対向試験＞
まず、中央監視室などに居るオペレータによって、中央監視制御装置５のキーボード、マウスなどが操作されて、“試験開始ボタン”が押され、信号名称と、機器シンボルとの対向試験が指定されると、中央監視制御装置５によって、運用モードから試験モードに切り替えられて、ＣＲＴ装置６に試験画面が表示されるとともに、監視対象に指定された各ポイントのＩＤ番号を含む試験開始信号パケットが生成され、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００１４】
そして、ＣＰＵ基板１４のマイクロプロセッサ９によって、ＥＥＰＲＯＭ１２に格納されている実稼働プログラム１０の使用が中止されて、試験用プログラム１１の使用が開始され、図３に示すように、実稼働プログラム１０で管理されているテーブル２２が参照されて、試験開始信号パケットに含まれている各ＩＤ番号がに対応した信号名称が順次、選択され、これらの各ＩＤ番号と、これらの各ＩＤ番号に対応する各信号名称とを含むＩＤ番号／信号名称パケットが生成されて、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００１５】
この後、中央監視制御装置５によって、ＩＤ番号／信号名称パケットが解析されて、ＩＤ番号／信号名称パケットに含まれる各ＩＤ番号のうち、最も値が小さいＩＤ番号と、このＩＤ番号に対応する信号名称とが選択され、ＣＲＴ装置６の試験画面上にグラフィック表示されている各機器シンボルのうち、この信号名称に対応する各機器シンボルが反転表示されるとともに、図４に示すように、このＩＤ番号と、信号名称とが書き込まれたダイヤログ２３が表示される。
【００１６】
次いで、オペレータによって、ダイヤログ２３で表示されているＩＤ番号と、信号名称と、反転表示された機器シンボルとが対応しているかどうかがチェックされ、このチェック結果に基づき、中央監視制御装置５のキーボード、マウスなどが操作されて、“ＯＫ”ボタン２４、または“ＮＧ”ボタン２５が押されたとき、中央監視制御装置５によって、押圧内容（良否判定結果）がメモリ（図示は省略する）に記憶される。
【００１７】
この後、中央監視制御装置５によって、ＩＤ番号／信号名称パケットに含まれる各ＩＤ番号のうち、次に小さいＩＤ番号と、このＩＤ番号に対応する機器名称とが選択され、ＣＲＴ装置６の試験画面上にグラフィック表示されている各機器シンボルのうち、この信号名称に対応する各機器シンボルが反転表示されるとともに、このＩＤ番号と、信号名称とが書き込まれたダイヤログ２３が表示される。
【００１８】
次いで、オペレータによって、ダイヤログ２３で表示されているＩＤ番号と、信号名称と、反転表示された機器シンボルとが対応しているかどうかがチェックされ、このチェック結果に基づき、中央監視制御装置５のキーボード、マウスなどが操作されて、“ＯＫ”ボタン２４、または“ＮＧ”ボタン２５が押されたとき、中央監視制御装置５によって、押圧内容（良否判定結果）がメモリに記憶される。
【００１９】
以下、ＩＤ番号／信号名称パケットに含まれる各ＩＤ番号が順次、選択されて、機器シンボル反転動作、ダイヤログ表示動作、“ＯＫ”ボタン、または“ＮＧ”ボタンのいずれかが押圧動作が繰り返され、ＩＤ番号／信号名称パケットに含まれる全てのＩＤ番号に対する処理が終了したとき、中央監視制御装置５によって、メモリに格納されている良否判定結果が読み出されて、“ＮＧ”となったＩＤ番号と、このＩＤ番号に対応する信号名称と、反転表示された機器シンボルとがＣＲＴ装置に一覧表示されるとともに、プリンタ装置７からプリントアウトされる。
【００２０】
この後、オペレータによって、中央監視制御装置５のキーボード、マウスなどが操作されて、“ＮＧ”となったポイントに対するＩＤ番号と、信号名称と、反転表示された機器シンボルとを対応するのに必要な修正データが入力されて、“ＮＧ”となったポイントが修正される。
【００２１】
次いで、オペレータによって、中央監視制御装置５のキーボード、マウスなどが操作されて再度、“試験開始ボタン”が押され、信号名称と、機器シンボルとの対向試験が指定されたとき、中央監視制御装置５によってメモリに格納されている良否判定結果の中から、前回の試験で“ＮＧ”となったＩＤ番号が読み出されるとともに、このＩＤ番号を含む試験開始信号パケットが生成されて、上述した試験が再度、繰り返される。
【００２２】
そして、全てのポイントについて、“ＯＫ”ボタン２４が押されたとき、中央監視制御装置５によって、メモリに格納されている各試験毎の押圧結果（良否判定結果）が読み出されて、プリンタ装置７から試験成績書がプリンアウトされる。
【００２３】
＜デジタル信号の自動出力機能確認試験＞
また、中央監視室などに居るオペレータによって、中央監視制御装置５のキーボード、マウスなどが操作されて、“試験開始ボタン”が押され、デジタル信号の自動出力機能確認試験が指定されると、中央監視制御装置５によって、運用モードから試験モードに切り替えられて、ＣＲＴ装置６に試験画面が表示されるとともに、デジタル試験開始信号パケットが生成され、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００２４】
これにより、ＣＰＵ基板１４のマイクロプロセッサ９によって、ＥＥＰＲＯＭ１２に格納されている実稼働プログラム１０の使用が中止されて、試験用プログラム１１の使用が開始され、図５に示すように、ＲＡＭ１３上にデジタル入出力領域２６が作成されて、デジタル入力基板１５の第１デジタル入力端子１５ａ〜第４デジタル入力端子１５ｄ、デジタル出力基板１６の第１デジタル出力端子１６ａ〜第４デジタル出力端子１６ｄのうち、現場設備に接続されたデジタル入力端子、デジタル出力端子（または、デジタル試験開始信号パケットで指定されたデジタル入力端子、デジタル出力端子）に対応するデジタル入力端子欄、デジタル出力端子欄、例えばデジタル入力基板１５の第１デジタル入力端子１５ａ〜第４デジタル入力端子１５ｄに対応する第１デジタル入力端子欄２７ａ〜第４デジタル入力端子欄２７ｄと、デジタル出力基板１６の第１デジタル出力端子１６ａ〜第４デジタル出力端子１６ｄに対応する第１デジタル出力端子欄２８ａ〜第４デジタル出力端子欄２８ｄとが作成され、初期値“０”が書き込まれる。
【００２５】
次いで、ＣＰＵ基板１４のマイクロプロセッサ９によって、第１デジタル入力端子欄２７ａに書き込まれている入力値“０”が入力値“１”に変更されて、第１デジタル入力端子欄２７ａの変更内容を示す応答パケットが生成され、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００２６】
そして、中央監視制御装置５によって、応答パケットが解析されて、ＣＲＴ装置６の試験画面上にグラフィック表示されている各機器シンボルのうち、第１デジタル入力端子１５ａに対応する機器シンボルが反転表示され、第１デジタル入力端子１５ａに対応する部分が入力変化に応じた表示色などに変更されるとともに、デジタル入力端子番号、信号名称、変更内容などが書き込まれたダイヤログが表示される。
【００２７】
次いで、オペレータによって、中央監視制御装置５のキーボード、マウスなどが操作されて、反転表示されている機器シンボル、第１デジタル入力端子１５ａに対応する部分の表示色、ダイヤログで表示されているデジタル入力端子番号、信号名称、変更内容などが対応しているかどうかがチェックされ、これらが対応しているとき、“ＯＫ”ボタンが押され、また対応していないとき、“ＮＧ”ボタンが押される。
【００２８】
そして、これら“ＯＫ”ボタン、または“ＮＧ”ボタンのいずれかが押圧されたとき、中央監視制御装置５によって、押圧内容（良否判定結果）がメモリに記憶されるとともに、良否判定結果を示すＯＫ／ＮＧパケットが生成されて、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００２９】
これにより、ＣＰＵ基板１４のマイクロプロセッサ９によって、第１デジタル入力端子１５ａに対する対向試験が終了したと判断されて、第１デジタル入力端子欄２７ａの入力値が“０”に戻される。
【００３０】
以下、入出力端末装置８によって、第２デジタル入力端子欄２７ｂ〜第４デジタル入力端子欄２７ｄが順次、選択されて、上述した入力値変更動作などが繰り返されるとともに、中央監視制御装置５側のオペレータによって、上述したデジタル入力端子の確認動作、変更内容確認動作などが順次、繰り返されて、中央監視制御装置５のメモリ内に、デジタル入力基板１５に設けられた第２デジタル入力端子１５ｂ〜第４デジタル入力端子１５ｄの動作内容に対する良否判定結果が記憶される。
【００３１】
そして、デジタル入力基板１５に設けられた第１デジタル入力端子１５ａ〜第４デジタル入力端子１５ｄの内容確認処理が終了すると、ＣＰＵ基板１４のマイクロプロセッサ９によって、第１デジタル出力端子欄２８ａに書き込まれている出力値“０”が出力値“１”に変更されるとともに、この第１デジタル出力端子欄２８ａに対応する第１デジタル入力端子欄２７ａに書き込まれていた入力値“０”が入力値“１”に変更された後、第１デジタル出力端子欄２８ａの変更内容と、第１デジタル入力端子欄２７ａの変更内容とを示す応答パケットが生成され、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００３２】
次いで、中央監視制御装置５によって、応答パケットが解析されて、ＣＲＴ装置６の試験画面上にグラフィック表示されている各機器シンボルのうち、第１デジタル出力端子１６ａに対応する機器シンボル、第１デジタル入力端子１５ａに対応する機器シンボルが反転表示され、第１デジタル出力端子１６ａに対応する部分、第１デジタル入力端子１５ａに対応する部分が入力変化に応じた表示色などに変更されるとともに、デジタル出力端子番号、信号名称、変更内容などが書き込まれたダイヤログが表示される。
【００３３】
この後、オペレータによって、中央監視制御装置５のキーボード、マウスなどが操作されて、反転表示されている機器シンボル、第１デジタル出力端子１６ａに対応する部分の表示色、ダイヤログで表示されているデジタル出力端子番号、信号名称、変更内容などが対応しているかどうかがチェックされ、これらが対応しているとき、“ＯＫ”ボタンが押され、また対応していないとき、“ＮＧ”ボタンが押される。
【００３４】
そして、これら“ＯＫ”ボタン、または“ＮＧ”ボタンのいずれかが押圧されたとき、中央監視制御装置によって、押圧結果（良否判定結果）がメモリに記憶されるとともに、良否判定結果を示すＯＫ／ＮＧパケットが生成されて、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００３５】
これにより、ＣＰＵ基板１４のマイクロプロセッサ９によって、第１デジタル出力端子１６ａに対する対向試験が終了したと判断されて、第１デジタル出力端子欄２８ａの出力値“１”、第１デジタル入力端子欄２７ａの入力値“１”が出力値“０”、入力値“０”に戻される、
以下、入出力端末装置８によって、第２デジタル出力端子欄２８ａ〜第４デジタル出力端子欄２８ｄ、これら第２デジタル出力端子欄２８ａ〜第４デジタル出力端子欄２８ｄに対応する第２デジタル入力端子欄２７ａ〜第４デジタル入力端子欄２７ｄが順次、選択されて、上述した出力値変更動作、入力値変更動作などが繰り返されるとともに、中央監視制御装置５側のオペレータによって、上述した接続内容の確認動作、変更内容の確認動作などが順次、繰り返されて、中央監視制御装置５のメモリ内に、デジタル出力基板１６に設けられた第２デジタル出力端子１６ｂ〜第４デジタル出力端子１６ｄの動作内容に対する良否判定結果が記憶される。
【００３６】
そして、デジタル出力基板１６の第１デジタル出力端子１６ａ〜第４デジタル出力端子１６ｄの内容確認処理が終了したとき、中央監視制御装置５によって、メモリに格納されている良否判定結果が読み出されて、“ＮＧ”となったデジタル入力端子番号、またはデジタル出力端子番号、信号名称、反転表示された機器シンボルなどがＣＲＴ装置６に一覧表示されるとともに、プリンタ装置７からプリントアウトされる。
【００３７】
この後、プログラマ、オペレータによって、中央監視制御装置５のキーボード、マウスなどが操作されて、“ＮＧ”となったデジタル入力端子番号、またはデジタル出力端子番号、信号名称、反転表示された機器シンボルなどを対応するのに必要な処置が実施される。
【００３８】
＜アナログ信号の自動出力機能確認試験＞
また、中央監視室などに居るオペレータによって、中央監視制御装置５のキーボード、マウスなどが操作されて、“試験開始ボタン”が押され、アナログ信号の自動出力機能確認試験が指定されると、中央監視制御装置５によって、運用モードから試験モードに切り替えられて、ＣＲＴ装置６に試験画面が表示されるとともに、アナログ試験開始信号パケットが生成され、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００３９】
これにより、ＣＰＵ基板１４のマイクロプロセッサ９によって、ＥＥＰＲＯＭ１２に格納されている実稼働プログラム１０の使用が中止されて、試験用プログラム１１の使用が開始され、図６に示すように、ＲＡＭ１３上にアナログ入出力領域２９が作成されて、アナログ入力基板１７の第１アナログ入力端子１７ａ〜第４アナログ入力端子１７ｄ、アナログ出力基板１８の第１アナログ出力端子１８ａ〜第４アナログ出力端子１８ｄのうち、現場設備に接続されたアナログ入力端子、アナログ出力端子（または、アナログ試験開始信号パケットで指定されたアナログ入力端子、アナログ出力端子）に対応するアナログ入力端子欄、アナログ出力端子欄、例えばアナログ入力基板１７の第１アナログ入力端子１７ａ〜第４アナログ入力端子１７ｄに対応する第１アナログ入力端子欄３０ａ〜第４アナログ入力端子欄３０ｄと、アナログ出力基板１８の第１アナログ出力端子１８ａ〜第４アナログ出力端子１８ｄに対応する第１アナログ出力端子欄３１ａ〜第４アナログ出力端子欄３１ｄとが作成され、初期値“０カウント（０ｍＡ）”が書き込まれる。
【００４０】
次いで、ＣＰＵ基板１４のマイクロプロセッサ９によって、予め決められた時間間隔で、第１アナログ入力端子欄３０ａに書き込まれている入力値“０カウント（０ｍＡ）”が入力値“８００カウント（４ｍＡ）”、入力値“２４００カウント（１２ｍＡ）”、入力値“８０００カウント（２０ｍＡ）”に順次、変更されて、第１アナログ入力端子欄３０ａの変更内容を示す応答パケットが生成され、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００４１】
そして、中央監視制御装置５によって、応答パケットが解析されて、ＣＲＴ装置６の試験画面上にグラフィック表示されている各機器シンボルのうち、第１アナログ入力端子１７ａに対応する機器シンボルが反転表示され、第１アナログ入力端子１７ａに対応する部分が入力変化に応じた表示色、または数値などに変更されるとともに、アナログ入力端子番号、信号名称、変更内容などが書き込まれたダイヤログが表示される。
【００４２】
次いで、オペレータによって、中央監視制御装置５のキーボード、マウスなどが操作されて、反転表示されている機器シンボル、第１アナログ入力端子１７ａに対応する部分の表示色、または数値、ダイヤログで表示されているアナログ入力端子番号、信号名称、変更内容などが対応しているかどうかがチェックされ、これらが対応しているとき、“ＯＫ”ボタンが押され、また対応していないとき、“ＮＧ”ボタンが押される。
【００４３】
そして、これら“ＯＫ”ボタン、または“ＮＧ”ボタンのいずれかが押圧されたとき、中央監視制御装置によって、押圧結果（良否判定結果）がメモリに記憶されるとともに、良否判定結果を示すＯＫ／ＮＧパケットが生成されて、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００４４】
これにより、ＣＰＵ基板１４のマイクロプロセッサ９によって、第１アナログ入力端子１７ａに対する対向試験が終了したと判断されて、第１アナログ入力端子欄３０ａの入力値が“０カウント（０ｍＡ）”に戻される。
【００４５】
以下、入出力端末装置８によって、第２アナログ入力端子欄３０ｂ〜第４アナログ入力端子欄３０ｄが順次、選択されて、上述した入力値変更動作などが順次、繰り返されるとともに、中央監視制御装置５側のオペレータによって、上述したアナログ入力端子の確認動作、変更内容確認動作などが順次、繰り返され、中央監視制御装置５のメモリ内に、アナログ入力基板１７に設けられた第２アナログ入力端子１７ｂ〜第４アナログ入力端子１７ｄの動作内容に対する良否判定結果が記憶される。
【００４６】
そして、アナログ入力基板１７に設けられた第１アナログ入力端子１７ａ〜第４アナログ入力端子１７ｄの内容確認処理が終了すると、ＣＰＵ基板１４のマイクロプロセッサ９によって、予め決められた時間間隔で、第１アナログ出力端子欄３１ａに書き込まれている出力値“０カウント（０ｍＡ）”が出力値“８００カウント（４ｍＡ）”、出力値“２４００カウント（１２ｍＡ）”、出力値“４０００カウント（２０ｍＡ）”に順次、変更されるとともに、この第１アナログ出力端子欄３１ａに対応する第１アナログ入力端子欄３０ａに書き込まれている入力値“０カウント（０ｍＡ）”が入力値“８００カウント（４ｍＡ）”、入力値“２４００カウント（１２ｍＡ）”、入力値“４０００カウント（２０ｍＡ）”に順次、変更された後、第１アナログ出力端子欄３１ａの変更内容と、第１アナログ入力端子欄３０ａの変更内容とを示す応答パケットが生成され、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００４７】
次いで、中央監視制御装置５によって、応答パケットが解析されて、ＣＲＴ装置６の試験画面上にグラフィック表示されている各機器シンボルのうち、第１アナログ出力端子１８ａに対応する機器シンボル、第１アナログ入力端子１７ａに対応する機器シンボルが反転表示され、第１アナログ出力端子１８ａに対応する部分、第１アナログ入力端子１７ａに対応する部分が入力変化に応じた表示色、または数値などに変更されるとともに、アナログ出力端子番号、信号名称、変更内容などが書き込まれたダイヤログが表示される。
【００４８】
この後、オペレータによって、中央監視制御装置５のキーボード、マウスなどが操作されて、反転表示されている機器シンボル、第１アナログ出力端子１８ａに対応する部分の表示色、または数値、ダイヤログで表示されているアナログ出力端子番号、信号名称、変更内容などが対応しているかどうかがチェックされ、これらが対応しているとき、“ＯＫ”ボタンが押され、また対応していないとき、“ＮＧ”ボタンが押される。
【００４９】
そして、これら“ＯＫ”ボタン、または“ＮＧ”ボタンのいずれかが押圧されたとき、中央監視制御装置５によって、押圧結果（良否判定結果）がメモリに記憶されるとともに、良否判定結果を示すＯＫ／ＮＧパケットが生成されて、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００５０】
これにより、ＣＰＵ基板のマイクロプロセッサによって、第１アナログ出力端子１８ａに対する対向試験が終了したと判断されて、第１アナログ出力端子欄３１ａの出力値、第１アナログ入力端子欄３０ａの入力値が“０カウント（０ｍＡ）”に戻される。
【００５１】
以下、入出力端末装置８によって、第２アナログ出力端子欄３１ｂ〜第４アナログ出力端子欄３１ｄ、これら第２アナログ出力端子欄３１ｂ〜第４アナログ出力端子欄３１ｄに対応する第２アナログ入力端子欄３０ｂ〜第４アナログ入力端子欄３０ｄが順次、選択されて、上述した出力値変更動作、入力値変更動作などが順次、繰り返されるとともに、中央監視制御装置５側のオペレータによって、上述した接続内容の確認動作、変更内容の確認動作などが順次、繰り返されて、中央監視制御装置５のメモリ内に、アナログ出力基板１８に設けられた第２アナログ出力端子１８ｂ〜第４アナログ出力端子１８ｄの動作内容に対する良否判定結果が記憶される。
【００５２】
そして、アナログ出力基板１８の第１アナログ出力端子１８ａ〜第４アナログ出力端子１８ｄの内容確認処理が終了したとき、中央監視制御装置５によって、メモリに格納されている良否判定結果が読み出されて、“ＮＧ”となったアナログ入力端子番号、またはアナログ出力端子番号、信号名称、反転表示された機器シンボルなどがＣＲＴ装置６に一覧表示されるとともに、プリンタ装置７からプリントアウトされる。
【００５３】
この後、プログラマやオペレータなどによって、中央監視制御装置５のキーボード、マウスなどが操作されて、“ＮＧ”となったアナログ入力端子番号、またはアナログ出力端子番号、信号名称、反転表示された機器シンボルなどを対応するのに必要な処置が実施される。
【００５４】
＜パルス信号の自動出力機能確認試験＞
また、中央監視室などに居るオペレータによって、中央監視制御装置５のキーボード、マウスなどが操作されて、“試験開始ボタン”が押され、パルス信号の機能確認試験が指定されると、中央監視制御装置５によって、運用モードから試験モードに切り替えられて、ＣＲＴ装置６に試験画面が表示されるとともに、パルス試験開始信号パケットが生成され、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００５５】
これにより、ＣＰＵ基板１４のマイクロプロセッサ９によって、ＥＥＰＲＯＭ１２に格納されている実稼働プログラム１０の使用が中止されて、試験用プログラム１１の使用が開始され、図７に示すように、ＲＡＭ１３上にパルス入力領域３２が作成されて、パルス入力基板１９の第１パルス入力端子１９ａ〜第４パルス入力端子１９ｄのうち、現場設備に接続されたパルス入力端子（または、パルス試験開始信号パケットで指定されたパルス入力端子）に対応するパルス入力端子欄、例えばパルス入力基板１９の第１パルス入力端子１９ａ〜第４パルス入力端子１９ｄに対応する第１パルス入力端子欄３３ａ〜第４パルス入力端子欄３３ｄが作成され、初期値（カウント入力値）“０”が書き込まれる。
【００５６】
次いで、ＣＰＵ基板１４のマイクロプロセッサ９によって、第１パルス入力端子欄３３ａに書き込まれているカウント入力値“０”が予め指定されたカウント入力値、例えばカウント入力値“１０”に変更されて、第１パルス入力端子欄３３ａの変更内容を示す応答パケットが生成され、入出力端末装置８のＣＰＵ基板１４→入出力端末装置８の通信基板２１→通信回線３→ゲートウェイ装置４→ＬＡＮ２→中央監視制御装置５なる経路で、中央監視制御装置５に供給される。
【００５７】
そして、中央監視制御装置５によって、応答パケットが解析されて、ＣＲＴ装置６の試験画面上にグラフィック表示されている各機器シンボルのうち、第１パルス入力端子１９ａに対応する機器シンボルが反転表示され、第１パルス入力端子１９ａに対応する部分が入力変化に応じた表示色、または数値などに変更されるとともに、パルス入力端子番号、信号名称、変更内容などが書き込まれたダイヤログが表示される。
【００５８】
次いで、オペレータによって、中央監視制御装置５のキーボード、マウスなどが操作されて、反転表示されている機器シンボル、第１パルス入力端子１９ａに対応する部分の表示色、または数値、ダイヤログで表示されているパルス入力端子番号、信号名称、変更内容などが対応しているかどうかがチェックされ、これらが対応しているとき、“ＯＫ”ボタンが押され、また対応していないとき、“ＮＧ”ボタンが押される。
【００５９】
そして、これら“ＯＫ”ボタン、または“ＮＧ”ボタンのいずれかが押圧されたとき、中央監視制御装置５によって、押圧結果（良否判定結果）がメモリに記憶されるとともに、良否判定結果を示すＯＫ／ＮＧパケットが生成されて、中央監視制御装置５→ＬＡＮ２→ゲートウェイ装置４→通信回線３→入出力端末装置８の通信基板２１→入出力端末装置８のＣＰＵ基板１４のなる経路で、ＣＰＵ基板１４に供給される。
【００６０】
これにより、ＣＰＵ基板１４のマイクロプロセッサ９によって、第１パルス入力端子１９ａに対する対向試験が終了したと判断されて、第１パルス入力端子欄３３ａのカウント入力値“１０”がカウント入力値“０”に戻される。
【００６１】
以下、入出力端末装置８によって、第２パルス入力端子欄３３ｂ〜第４パルス入力端子欄３３ｄが順次、選択されて、上述した入力値変更動作などが繰り返されるとともに、中央監視制御装置５側のオペレータによって、上述したパルス入力端子の確認動作、変更内容確認動作などが順次、繰り返されて、中央監視制御装置５のメモリ内に、パルス入力基板１９に設けられた第２パルス入力端子１９ｂ〜第４パルス入力端子１９ｄの動作内容に対する良否判定結果が記憶される。
【００６２】
そして、パルス入力基板１９の第１パルス出力端子１９ａ〜第４パルス出力端子１９ｄの内容確認処理が終了したとき、中央監視制御装置５によって、メモリに格納されている良否判定結果が読み出されて、“ＮＧ”となったパルス入力端子番号、信号名称、反転表示された機器シンボルなどがＣＲＴ装置６に一覧表示されるとともに、プリンタ装置７からプリントアウトされる。
【００６３】
この後、プログラマやオペレータなどによって、中央監視制御装置５のキーボード、マウスなどが操作されて、“ＮＧ”となったパルス入力端子番号、信号名称、反転表示された機器シンボルなどを対応するのに必要な処置が実施される。
【００６４】
このように、この実施形態では、中央監視室などに居るオペレータによって、中央監視制御装置５の“試験開始ボタン”が押されたとき、入出力端末装置８を運用モードから試験モードに切り替え、試験用プログラム１１で指定された手順で、中央監視制御装置５に対し、試験信号の入出力処理を行わせ、入出力端末装置８と、中央監視制御装置５との接続内容、動作内容などをオペレータに確認するようにしているので、中央監視制御装置５を操作して、入出力端末装置８を試験モードにするだけで、中央監視制御装置５に対する対向試験を実施して、対向試験に要する時間、手間を短縮し、システムの構築コストを低減することができる。
【００６５】
また、この実施形態では、試験用プログラム１１で指定された手順で、中央監視制御装置５に対し、試験信号の入出力処理を行わせるとき、デジタル入力基板１５、デジタル出力基板１６、アナログ入力基板１７、アナログ出力基板１８、パルス入力基板１９と現場設備との接続内容、または中央監視制御装置５からの指示内容に応じたデジタル入出力領域２６、アナログ入出力領域２９、パルス入力領域３２を仮想的に作成した後、これらデジタル入出力領域２６、アナログ入出力領域２９、パルス入力領域３２上で、デジタル入力信号、デジタル出力信号、アナログ入力信号、アナログ出力信号、パルス入力信号を変化して、中央監視制御装置５の対向試験を行わせるようにしているので、入出力端末装置８に対する確認用機材の接続作業などを行わせることなく、中央監視制御装置５に対する対向試験を実施することができ、これによってシステムを構築する際の人件費、コストを低減することができるとともに、中央監視制御装置５の対向試験を行わせるとき、各現場設備の運用に悪影響を与えないようにすることができる。
【図面の簡単な説明】
【００６６】
【図１】本発明による入出力端末装置の実施形態である監視制御システムの構成を示すブロック図である。
【図２】図１に示すＣＰＵ基板の回路構成を示すブロック図である。
【図３】図１に示す中央監視制御装置に対し、信号名称、機器シンボル対向試験を行う際に使用されるＩＤ番号、信号名称を示す説明図である。
【図４】図１に示す監視制御システムに対し、信号名称、機器シンボル対向試験を行う際に使用されるダイヤログの一例を示す説明図である。
【図５】図１に示す中央監視制御装置に対し、デジタル信号の自動出力機能確認試験を行うとき、入出力端末装置に形成される回路構成を示す説明図である。
【図６】図１に示す中央監視制御装置に対し、アナログ信号の自動出力機能確認試験を行うとき、入出力端末装置に形成される回路構成を示す説明図である。
【図７】図１に示す中央監視制御装置に対し、パルス信号の自動出力機能確認試験を行うとき、入出力端末装置に形成される回路構成例を示す説明図である。
【図８】監視制御システムの中央監視制御装置に対し、対向試験を行う際の一般的な手順を示す表である。
【符号の説明】
【００６７】
１：監視制御システム
２：ＬＡＮ
３：通信回線
４：ゲートウェイ装置
５：中央監視制御装置
６：ＣＲＴ装置
７：プリンタ装置
８：入出力端末装置
９：マイクロプロセッサ
１０：実稼働プログラム
１１：試験用プログラム
１２：ＥＥＰＲＯＭ
１３：ＲＡＭ
１４：ＣＰＵ基板
１５：デジタル入力基板
１５ａ〜１５ｄ：第１デジタル入力端子〜第４デジタル入力端子
１６：デジタル出力基板
１６ａ〜１６ｄ：第１デジタル出力端子〜第４デジタル出力端子
１７：アナログ入力基板
１７ａ〜１７ｄ：第１アナログ入力端子〜第４アナログ入力端子
１８：アナログ出力基板
１８ａ〜１８ｄ：第１アナログ出力端子〜第４アナログ出力端子
１９：パルス入力基板
１９ａ〜１９ｄ：第１パルス入力端子〜第４パルス入力端子
２０：通信バス
２１：通信基板
２２：テーブル
２３：ダイヤログ
２４：“ＯＫ”ボタン
２５：“ＮＧ”ボタン
２６：デジタル入出力領域
２７ａ〜２７ｄ：第１デジタル入力端子欄〜第４デジタル入力端子欄
２８ａ〜２８ｄ：第１デジタル出力端子欄〜第４デジタル出力端子欄
２９：アナログ入出力領域
３０ａ〜３０ｄ：第１アナログ入力端子欄〜第４アナログ入力端子欄
３１ａ〜３１ｄ：第１アナログ出力端子欄〜第４アナログ出力端子欄
３２：パルス入力領域
３３ａ〜３３ｄ：第１パルス入力端子欄〜第４パルス入力端子欄
【図１】
2006099201.tif 000003
【図２】
2006099201.tif 000004
【図３】
2006099201.tif 000005
【図４】
2006099201.tif 000006
【図５】
2006099201.tif 000007
【図６】
2006099201.tif 000008
【図７】
2006099201.tif 000009
【図８】
2006099201.tif 000010